(57)【特許請求の範囲】
【請求項１】
車体フレーム（２１）と、この車体フレーム（２１）の中央に取付けられる動力発生機関（２２）と、前記車体フレーム（２１）の前部上部に回転自在に取付けられているステアリング軸（２６）と、このステアリング軸（２６）を回転させるステアリングハンドル（１５）と、このステアリングハンドル（１５）の後方にシート（１７）を備え、
前記シート（１７）の下方に電装品を収納する電装品支持部（８１）及びスロットルボディ（１１５）を設けた車両において、
前記車体フレーム（２１）は、前記ステアリング軸（２６）から前記動力発生機構（２２）の上方を通り後方へ延在して車幅方向中央に配置される１本のアッパーテンションパイプ（５６）を備えるとともに、このアッパーテンションパイプ（５６）に前記電装品支持部（８１）が載せられ、
前記アッパーテンションパイプ（５６）に対して車幅方向一方側にスロットルボディ（１１５）を配置し、車幅方向他方側に電装品支持部（８１）を配置し、
前記車体フレーム（２１）は、前記動力発生機関（２２）の下方を車両前後方向に通過して後部が上方へ湾曲する左右一対のメインフレーム（５１Ｌ、５１Ｒ）と、
このメインフレーム（５１Ｌ、５１Ｒ）の湾曲部（５４Ｌ、５４Ｒ）の上端から車両後方へ延びるリヤパイプ（６７Ｌ、６７Ｒ）とを含み、
前記アッパーテンションパイプ（５６）の後端が、左右の前記湾曲部（５４Ｌ、５４Ｒ）間を車幅方向に渡される第２クロス部（５５）に取付けられると共に、
車両側面視で前記リヤパイプ（６７Ｌ、６７Ｒ）の先端が前記アッパーテンションパイプ（５６）の後端に重なるように構成し、
この重なる位置に、前記電装品支持部（８１）に収納される電装品を配置したことを特徴とする車両。
【請求項２】
前記電装品支持部（８１）の下に排気管（２４）が配置されていることを特徴とする請求項１記載の車両。
【請求項３】
前記電装品支持部（８１）は、前記アッパーテンションパイプ（５６）の上面に載せて支持されると共に、前記アッパーテンションパイプ（５６）の上端より低い位置に段部を形成し、この段部に電装品を収納するようにしたことを特徴とする請求項１又は請求項２記載の車両。
【請求項４】
前記電装品支持部（８１）は、前記リヤパイプ（６７Ｌ、６７Ｒ）よりも車両前方へ延ばして形成され、メインハーネス（９１）を前記リヤパイプ（６７Ｌ、６７Ｒ）の前端と前記電装品支持部（８１）の前端とで支持させるようにしたことを特徴とする請求項１〜３のいずれか１項記載の車両。
【請求項５】
前記電装品支持部（８１）の前部で前記メインハーネス（９１）を支持するステー（１１３）は、前記メインハーネス（９１）が前記リヤパイプ（６７Ｒ）に向くように、車体長手軸に対して斜めに設けられていることを特徴とする請求項４記載の車両。
【請求項６】
前記電装品支持部（８１）の後部は、前記第２クロス部（５５）とアッパーテンションパイプ（５６）の後部との結合部を覆うように、第２クロス部（５５）に沿うように車幅方向に広がっていることを特徴とする請求項４又は請求項５記載の車両。
【請求項７】
前記電装品支持部（８１）の車両後方に燃料タンク（７４）を配置し、
前記電装品支持部（８１）は、前記燃料タンク（７４）から延びる燃料ホース（１０９）を支持するガイド部を備え、前記燃料ホース（１０９）を前記アッパ−テンションパイプ（５６）に対して車幅方向左右一方側で支持すると共に、他方側に前記メインハーネス（９１）を配置することを特徴とする請求項５又は請求項６記載の車両。
【請求項８】
前記ステアリング軸（２６）の後方で、且つ前記シート（１７）及び前記動力発生機関（２２）のシリンダ（９７）よりも前方に、エアクリーナ（２３）を配置し、
前記シート（１７）の下方に前記燃料タンク（７４）が配置され、
前記電装品支持部（８１）が前記シート（１７）の下方で、且つ前記燃料タンク（７４）の前方に配置されることを特徴とする請求項１〜７のいずれか１項記載の車両。
【発明の詳細な説明】
【技術分野】
【０００１】
本発明は、車両の車体フレーム構造、特に不整地走行車両の車体フレーム構造の改良に関する。
【背景技術】
【０００２】
アッパフレームとロアフレームとダウンフレームとが、やぐら状に組まれた不整地走行車両の車体フレームが開示されている（例えば、特許文献１（図１、図２）参照。）。
【０００３】
すなわち、特許文献１の図２に示されるように、車体フレーム（４）（括弧付き数字は、特許文献１に記載された符号を示す。以下同様）は、２本のアッパフレーム（３１、３１）と、ロアフレーム（３２、３２）と、ダウンフレーム（３５、３５）とからなる。
【０００４】
このような車体フレーム構造であれば、特許文献１の図１に示されるエンジン（５）は、車体側方から出し入れされる。すなわち、フレーム間の隙間から、重量物であるエンジン（５）を、入れなければならないので、作業性の点で、改善の余地がある。
【０００５】
また、アッパフレーム（３１）が、左右に２本並べられていため、フレームの数が多く、車体フレームの構造が複雑になり、車体フレームの重量増加を招く。
【先行技術文献】
【特許文献】
【０００６】
【特許文献１】特開２００８−１１４６１７公報
【発明の概要】
【発明が解決しようとする課題】
【０００７】
本発明は、軽量化が可能で、電装品を配置するスペースの有効活用が図れると共にスロットルボディの保守性を高めることができる構造の車両を提供することを課題とする。
【課題を解決するための手段】
【０００８】
請求項１に係る発明は、車体フレームと、この車体フレームの中央に取付けられる動力発生機関と、前記車体フレームの前部上部に回転自在に取付けられているステアリング軸と、このステアリング軸を回転させるステアリングハンドルと、このステアリングハンドルの後方にシートを備え、
前記シートの下方に電装品を収納する電装品支持部及びスロットルボディを設けた車両において、
前記車体フレームは、前記ステアリング軸から前記動力発生機構の上方を通り後方へ延在して車幅方向中央に配置される１本のアッパーテンションパイプを備えるとともに、このアッパーテンションパイプに前記電装品支持部が載せられ、
前記アッパーテンションパイプに対して車幅方向一方側にスロットルボディを配置し、車幅方向他方側に電装品支持部を配置し、
車体フレームは、動力発生機関の下方を車両前後方向に通過して後部が上方へ湾曲する左右一対のメインフレームと、
このメインフレームの湾曲部の上端から車両後方へ延びるリヤパイプとを含み、
アッパーテンションパイプの後端が、左右の湾曲部間を車幅方向に渡される第２クロス部に取付けられると共に、
車両側面視でリヤパイプの先端がアッパーテンションパイプの後端に重なるように構成し、
この重なる位置に、電装品支持部に収納される電装品を配置したことを特徴とする。
【０００９】
請求項２に係る発明では、電装品支持部の下に排気管が配置されていることを特徴とする。
【００１０】
請求項３に係る発明では、電装品支持部は、アッパーテンションパイプの上面に載せて支持されると共に、アッパーテンションパイプの上端より低い位置に段部を形成し、この段部に電装品を収納するようにしたことを特徴とする。
【００１２】
請求項４に係る発明では、電装品支持部は、リヤパイプよりも車両前方へ延ばして形成され、メインハーネスをリヤパイプの前端と電装品支持部の前端とで支持させるようにしたことを特徴とする。
【００１３】
請求項５に係る発明では、電装品支持部の前部でメインハーネスを支持するステーは、メインハーネスがリヤパイプに向くように、車体長手軸に対して斜めに設けられていることを特徴とする。
【００１４】
請求項６に係る発明では、電装品支持部の後部は、第２クロス部とアッパーテンションパイプの後部との結合部を覆うように、第２クロス部に沿うように車幅方向に広がっていることを特徴とする。
【００１５】
請求項７に係る発明では、電装品支持部の車両後方に燃料タンクを配置し、
電装品支持部は、燃料タンクから延びる燃料ホースを支持するガイド部を備え、燃料ホースをアッパ−テンションパイプに対して車幅方向左右一方側で支持すると共に、他方側にメインハーネスを配置することを特徴とする。
【００１６】
請求項８に係る発明では、ステアリング軸の後方で、且つシート及び動力発生機関のシリンダよりも前方に、エアクリーナを配置し、
シートの下方に燃料タンクが配置され、
電装品支持部がシートの下方で、且つ燃料タンクの前方に配置されることを特徴とする。
【発明の効果】
【００１７】
請求項１に係る発明では、車体フレームは、ステアリング軸から動力発生機構の上方を通り後方へ延在して車幅方向中央に配置される１本のアッパーテンションパイプを備える。アッパーテンションパイプを２本並べて設ける場合に比較して、本発明ではアッパーテンションパイプを１本にしたので、車体フレームの軽量化が図れる。
また、アッパーテンションパイプに対して車幅方向一方側にコネクティングチューブ及びスロットルボディを配置し、他方側に電装品支持部を配置した。アッパーテンションパイプの両側方のスペースを利用するため、スペースの有効活用が図れる。
さらに、一方側にスロットルボディを配置し、他方側に電装品支持部を配置したので、スロットルボディが電装品支持部に妨げられる心配がなく、スロットルボディの保守性を高めることができる。
したがって、本発明によれば、軽量化が可能で、電装品を配置するスペースの有効活用が図れると共にスロットルボディの保守性を高めることができる構造の車両を提供される。
加えて、アッパーテンションパイプの後端が、左右の湾曲部間を車幅方向に渡される第２クロス部に取付けられると共に、車両側面視でリヤパイプの先端がアッパーテンションパイプの後端に重なるように構成し、この重なる位置に、電装品支持部に収納される電装品を配置した。リヤパイプと重なる位置に、ＡＣＧカプラやチェンジスイッチカプラやバンクアングルセンサや燃料ホースが配置されているため、これらにシートの下向き負荷がかかる心配が、より少なくなる上、これらの電装品の保護効果を高めることができる。さらに、電装品支持部をシート下の狭いスペースに効率よく設け、電装品を配置することができる。
【００１８】
請求項２に係る発明では、電装品支持部の下に排気管が配置されている。排気管は、板状の電装品支持部の下に配置される。この電装品支持部が遮熱板の役割を果たすため、イグニッションコイルやＡＣＧカプラやチェンジスイッチカプラが熱的に保護される。
【００１９】
請求項３に係る発明では、電装品支持部は、アッパーテンションパイプの上面に載せて支持されると共に、アッパーテンションパイプの上端より低い位置に段部を形成し、この段部に電装品を収納するようにした。イグニッションコイルやＡＣＧカプラやチェンジスイッチカプラは、アッパーテンションパイプの上面より下位にあるため、シートの下向き負荷を受ける心配がない。
【００２１】
請求項４に係る発明では、電装品支持部は、リヤパイプよりも車両前方へ延ばして形成され、メインハーネスをリヤパイプの前端と電装品支持部の前端とで支持させるようにした。仮に、メインハーネスをクランク状に屈曲させながら車幅中央から車幅外側へ配索しようとすると、ハーネス長が長くなるばかりか、メインハーネスは比較的太いハーネスなので屈曲させにくく、組立性も悪いという課題がある。この点、本発明は、上記構成により、メインハーネスを強固に支持しながら、前記課題を解決することができる。
【００２２】
請求項５に係る発明では、電装品支持部の前部でメインハーネスを支持するステーは、メインハーネスがリヤパイプに向くように、車体長手軸に対して斜めに設けられている。このステーはメインハーネスが右のリヤパイプに向くように、車体長手軸に対して反時計方向に回転させ斜めに設けられている。結果、太いメインハーネスを円滑に車幅方向に変位させることができる。
【００２３】
請求項６に係る発明では、電装品支持部の後部は、第２クロス部とアッパーテンションパイプの後部との結合部を覆うように、第２クロス部に沿うように車幅方向に広がっている。この広がった部位に、ＡＧＣカプラの後面から延びるハーネスやチェンジスイッチカプラの後面から延びるハーネスが載る。第２クロス部とアッパーテンションパイプの後部との結合部は、溶接することにより、バリや突起が発生しやすい。しかし、結合部を電装品支持部の後部でカバーすれば、バリや突起でハーネスや電装品などが傷む心配がない。
【００２４】
請求項７に係る発明では、電装品支持部の車両後方に燃料タンクを配置し、電装品支持部は、燃料タンクから延びる燃料ホースを支持するガイド部を備え、燃料ホースをアッパ−テンションパイプに対して車幅方向左右一方側で支持すると共に、他方側にメインハーネスを配置する。電装品支持部で燃料ホースが支持されるが、この支持部位がアッパ−テンションパイプに対して車幅方向左であれば、車幅方向右にメインハーネスが配置される。燃料ホースとメインハーネスが、アッパ−テンションパイプに対して左右にバランス良く配置される。
【００２５】
請求項８に係る発明では、ステアリング軸の後方で、且つシート及び動力発生機関のシリンダよりも前方に、エアクリーナを配置し、シートの下方に燃料タンクが配置され、電装品支持部がシートの下方で、且つ燃料タンクの前方に配置される。スロットルボディの保守性を高めつつ、電装品支持部をシート下の狭いスペースに効率よく設け、電装品を配置することができる。
【図面の簡単な説明】
【００２６】
【図１】車両の左側面図である。
【図２】車両の平面図である。
【図３】車体カバーを外した状態の車両の左側面図である。
【図４】前輪の懸架装置を説明する側面図である。
【図５】前輪の懸架装置を説明する正面図である。
【図６】車体フレームの分解斜視図である。
【図７】車体フレームの斜視図である。
【図８】車体フレームの平面図である。
【図９】車体フレームの底面図である。
【図１０】図９の変更図である。
【図１１】車両後部の右側面図である。
【図１２】補器類支持部と電装品支持部の配置図である。
【図１３】補器類支持部の説明図である。
【図１４】車両前部の左側面図である。
【図１５】車両前部の右側面図である。
【図１６】電装品支持部の拡大図である。
【図１７】車両中間部の左側面図である。
【図１８】図１０の補足説明図である。
【発明を実施するための形態】
【００２７】
本発明の実施の形態を添付図に基づいて以下に説明する。なお、図面は符号の向きに見るものとする。
【実施例】
【００２８】
本発明の実施例を図面に基づいて説明する。
図１に示されるように、車両１０は、車体の前部下部に前輪１１を備え、この前輪１１の上方にフロントフェンダ１２を備え、車体の後部下部に後輪１３を備え、この後輪１３に上方にリヤフェンダ１４を備え、前輪１１の上方にステアリングハンドル１５を備え、このステアリングハンドル１５の前にフロント荷台１６を備え、ステアリングハンドル１５の後方にシート１７及びリヤ荷台１８を備えている、小型車両である。
【００２９】
車両１０は、図２に示されるように、ステアリングハンドル１５とシート１７との間に左右のステップフロア１９、１９を備えて、シート１７に座った乗員の足をステップフロア１９、１９に載せることができるようにした鞍乗り型不整地走行車両である。また、車両１０は、ステアリング軸２６とシート１７との間に配置されると共に後述するエアクリーナ（図３、符号２３）を覆うフロントカバー２０を備える。
【００３０】
図３に示されるように、車両１０は、車体フレーム２１の中央にガソリンエンジン等の動力発生機関２２を備え、車体フレーム２１の上に備えたエアクリーナ２３で吸入した空気に燃料を混合させて動力発生機関２２で燃焼させ、排気ガスは動力発生機関２２から延びる排気管２４及びこの排気管２４の後端に接続されているマフラー２５を介して外へ排出し、得られた動力で車体フレーム２１の前部下部に回転自在に取付けられる前輪１１及び／又は車体フレーム２１の後部下部に回転自在に取付けられる後輪１３に伝達して走行し、車体フレーム２１の前部上部に回転自在に取付けられているステアリング軸２６及びこのステアリング軸２６を回転させるステアリングハンドル１５により転舵させることができる小型車両である。
【００３１】
動力発生機関２２は、ガソリンエンジン、ジーゼルエンジン、電動モータなどの駆動源であれば、種類は問わない。
【００３２】
前輪１１及び後輪１３が、バルーンタイヤと称する広幅で低圧の特殊タイヤであるときには、路面の凹凸を低圧のタイヤが変形して吸収し、路面が軟弱であっても広幅のタイヤで沈み込みを抑えることができるため、このような車両１０は、不整地走行車両と呼ばれる。
【００３３】
なお、動力発生機関２２で発生した動力は、図４に示すように、プロペラシャフトなどの動力伝達装置２８で最終減速装置２９へ伝達される。
そして、図５に示すように、動力は、最終減速装置２９から車幅方向に延びるドライブシャフト３１を介して前輪１１に伝達され、前輪１１が回転駆動される。
【００３４】
前輪懸架装置４０は、図５に示すように、車体フレーム２１に上端が連結され下方へ延びるフロントクッション４１と、このフロントクッション４１の下部から下方へ延びるナックル支持部材４２と、車幅方向に延びナックル支持部材４２の下部を車体フレーム２１に連結するロアアーム４３と、ナックル支持部材４２にキングピン軸４４廻りに回転自在に取付けられ前輪１１を支えるナックル４５と、車幅方向に延びナックル４５をキングピン軸４４廻りに回転させるタイロッド４６とからなる。
【００３５】
このタイロッド４６は、図４に示すように、パワーステアリングユニット４７の出力軸に連結されている。このパワーステアリングユニット４７は、想像線で示すフロントテンションブラケット５８Ｌでボルト４８、４８により、締結される。
【００３６】
車体フレーム２１は、図６に示すように、第１クロス部５３と第２クロス部５５から、アッパーテンションパイプ５６を取り外すことができることを構造的な特徴とする。このことにより、動力発生機械２２等の車載品を載せるときに、アッパーテンションパイプ５６を外しておくことで、重量物である車載品を上から車体フレーム２１内へ降ろすことができる。
したがって、本発明によれば、車載品の出し入れが簡便である車体フレームを有する車両が提供される。
【００３７】
また、アッパーテンションパイプ５６に、エアクリーナ２３やバッテリ７８などの補器類を支える補器類支持部７７と、イグニッションコイル７９などの電装品を支える電装品支持部８１とを付属した。補器類、電装品などを集中配置することにより、サブアセンブリーが可能となる。また、アッパーテンションパイプ５６を外すことで、補器類、電装品などを一括した車体フレーム２１から外すことができ、保守、点検が容易になる。
【００３８】
このような作用効果を発揮しうる車体フレーム２１の構造を、以下に詳しく説明する。
図７に示すように、車体フレーム２１は、動力発生機関（図６、符号２２）の下方を車両前後方向に通過し後部が上方へ湾曲している、左右一対のメインフレーム５１Ｌ、５１Ｒ（Ｌは乗員から見て左を示し、Ｒは同右示す添え字である。以下同じ）と、メインフレーム５１Ｌ、５１Ｒの前部から上方に延びるパイプ又はフレームで構成され前輪懸架装置（図５、符号４０）を支持する、左右の前輪懸架支持部５２Ｌ、５２Ｒと、左の前輪懸架支持部５２Ｌから右の前輪懸架支持部５２Ｒへ車幅方向に渡されている第１クロス部５３と、左のメインフレーム５１Ｌの後部の湾曲部５４Ｌから右のメインフレーム５１Ｒの後部の湾曲部５４Ｒへ車幅方向に渡されている第２クロス部５５と、動力発生機関の上方を車両前後方向に通過し、前端が前記第１クロス部５３に取り外し可能に取付けられ、後端が前記第２クロス部５５に取り外し可能に取付けられているアッパーテンションパイプ５６と、を主要素とする。
【００３９】
アッパーテンションパイプ５６は、後部が下向きに斜めに屈曲形成されている。
また、前輪懸架支持部５２Ｌは、メインフレーム５１Ｌから上方へ延びるフロントパイプ部５７Ｌと、このフロントパイプ部５７Ｌの上部とメインフレーム５１Ｌとに斜めに渡ってフロントパイプ部５７Ｌを補強するフロントテンションブラケット部５８Ｌと、からなる。前輪懸架支持部５２Ｒも、フロントパイプ部５７Ｒとフロントテンションブラケット部５８Ｒとからなる。
【００４０】
このフロントテンションブラケット部５８Ｌにパワーステアリングユニット（図４、符号４７）を締結する際に用いるボルト穴６２、６２が設けられている。前輪懸架支持部５２Ｒも、フロントパイプ部５７Ｒとフロントテンションブラケット部５８Ｒとからなる。
【００４１】
そして、左右一対のフロントパイプ部５７Ｌ、５７Ｒの上端が、第１クロス部５３で連結され、この第１クロス部５３が車両前方から見て下に開くＵ字パイプ部５９で構成され、このＵ字パイプ部５９が左右のフロントパイプ部５７Ｌ、５７Ｒに連続し、左右のフロントパイプ部５７Ｌ、５７ＲとＵ字パイプ部５９が一本の曲げパイプで構成されている。
左右のフロントパイプ部５７Ｌ、５７ＲとＵ字パイプ部５９が一本の曲げパイプで構成されているため、前輪懸架支持部の構成部品点数を削減することができる。
【００４２】
さらに、フロントパイプ部５７Ｌ、５７Ｒに、フロントクッション（図５、符号４１）を取付けるフロントクッション取付部６１が設けられている。
フロントクッション取付部６１が第１クロス部５３の近傍に設けられているため、フロントクッションからの力が、第１クロス部５３を介して車体フレーム２１に円滑に伝達される。
【００４３】
また、ステアリングハンドル１５から下へ延びるステアリングシャフト６３は、図６に示す前側ステアリングシャフト軸受け部６４と、後側ステアリングシャフト軸受け部６５とで支承される。
前側ステアリングシャフト軸受け部６４は第１クロス部５３に設けられ、後側ステアリングシャフト軸受け部６５は、アッパーテンションパイプ５６の先端に設けられている。
そして、前側ステアリングシャフト軸受け部６４に後側ステアリングシャフト軸受け部６５を車両前後方向に合わせ、ボルト６６、６６で結合することで、軸受け構造が出来上がる。
【００４４】
すなわち、第１クロス部５３及びアッパーテンションパイプ５６の先端を巧みに利用することにより、少ない部品点数で、容易にステアリングシャフト（図７、符号６３）を支持することができる。
【００４５】
また、図７に示すように、左右のメインフレーム５１Ｌ、５１Ｒの湾曲部５４Ｌ、５４Ｒの上端から、車両後方へリヤパイプ６７Ｌ、６７Ｒが延びており、リヤパイプ６７Ｌ、６７Ｒは、湾曲部５４Ｌ、５４Ｒの高さ方向中央から延ばされたリヤサブパイプ６８Ｌ、６８Ｒで補強されている。そして、車両側面視でリヤパイプ６７Ｌ、６７Ｒの先端が、アッパーテンションパイプ５６の後端より車両前方へ延ばされている。すなわち、車両側面視でリヤパイプ６７Ｌ、６７Ｒの先端が、アッパーテンションパイプ５６の後端に重なっている。
【００４６】
アッパーテンションパイプ５６は、車体フレームの平面図である図８に示すように、車体中心線上に１本設けられている。アッパーテンションパイプ５６は左右２本を第１クロス部５３と第２クロス部５５とに渡すことは差し付けないが、１本にすることにより、次の効果が期待できる。
アッパーテンションパイプの数は１本であるから、車体フレームの軽量化が図られると共に、取付けや取り外しを考えると、１本の方が作業時間が短くなる。
【００４７】
また、車体フレームの底面図（添え字ＬとＲは逆になる。）である図９に示すように、左右のメインフレーム５１Ｌ、５１Ｒの車幅方向の間隔（外幅）は、中央部がＷ１であるのに対して前部の間隔がＷ２（Ｗ２＜Ｗ１）及び後部の間隔Ｗ３（Ｗ３＜Ｗ１）のごとく狭くなるように、左右のメインフレーム５１Ｌ、５１Ｒに前部屈曲部７１及び後部屈曲部７２が設けられている。
前方を狭くすることで、アライメントの調整が容易になり、後方を狭くすることで、鞍乗り車両における、ライディング居住性の確保が容易になる。
【００４８】
さらには、図９の変更図である図１０に示すように、メインフレーム５１Ｌは、車両前後方向の中央部Ｃに対して前部Ｆを、前に行くにしたがってフレームの高さ及び幅が小さくなるようにし、車両前後方向の中央部Ｃに対して後部Ｒが、後に行くにしたがってフレームの高さ及び幅が小さくなるようにしてもよい。メインフレーム５１Ｒも同様である。
【００４９】
具体的には、図１０の補足説明図である図１８に示すように、メインフレーム５１Ｌは、中央部Ｃが車幅方向外方に膨らみ、前部Ｆ及び後部Ｒが車幅中心に接近するように、全体的に湾曲している。そして、中央部Ｃのメインフレーム５１Ｌの高さＨ１は大きく、前部Ｆの高さＨ２は小さく（Ｈ２＜Ｈ１）し、後部Ｒの高さＨ３も小さく（Ｈ３＜Ｈ１）とした。
また、中央部Ｃのメインフレーム５１Ｌの幅Ｗ４は大きく、前部Ｆの幅Ｗ５は小さく（Ｗ５＜Ｗ４）し、後部Ｒの幅Ｗ６も小さく（Ｗ６＜Ｗ４）としてもよい。
【００５０】
剛性を確保するために、メインフレーム５１Ｌ、５１Ｒの車両前後方向の中央部Ｃはフレームの高さ及び幅を大きくした。その他は、フレームの高さ及び幅を小さくした。
すなわち、フレーム剛性を確保しつつ、撓みを発生させて、車両の乗り味を向上させることができる。
【００５１】
次に、リヤクッションの取付け形態を説明する。
図１１に示すように、リヤクッション７３は、上部がリヤクッション取付部７６に取付けられる。このリヤクッション取付部７６は、第２クロス部（図１０、符号５５）に設けられる。
【００５２】
このようなリヤクッション７３は、燃料タンク７４の車両前方を通るように、上部に対して下部が車両後方（図では右が車両前方）に位置するように斜めに配置されている。なお、
そのため、リヤクッション軸７５は、図７に示すように、アッパーテンションパイプ５６の後部屈曲形状に倣う。すると、リヤクッション軸７５の向きに作用するリヤクッションの負荷は、円滑にアッパーテンションパイプ５６に伝達され、支承される。
また、フロントパイプ部の上部（第１クロス部５３）は、下より上が車両後方に位置するように屈曲形成されているため、フロントクッション取付部６１から加えられるフロントクッションの負荷は円滑にアッパーテンションパイプ５６に伝達され、支承される。
【００５３】
次に、アッパーテンションパイプ５６に載置する補器類や電装品の配置について詳しく説明する。
図１２に示すように、ステアリングハンドル１５より車両後方位置にて、アッパーテンションパイプ５６に、板状の補器類支持部７７が載せられ、この補器類支持部７７にエアクリーナ兼バッテリ収納ボックス８２が載せられている。このエアクリーナ兼バッテリ収納ボックス８２は、車両後方側が、車両後方に向かうに連れて幅が狭くなるよう三角形状に絞られている。三角形状に絞ることで、乗員の足載せスペースを確保するようにした。
【００５４】
また、エアクリーナ兼バッテリ収納ボックス８２は、車体長手方向に延びる区画壁８３で左右に区画されており、右の区画がエアクリーナ２３を収納するエアクリーナ収納部８４とされ、左の区画はバッテリ７８及びこのバッテリ７８より車両後方に配置される小電装品８５を収納する電装品収納部８６とされる。すなわち、アッパーテンションパイプ５６に対してエアクリーナ収納部８４とバッテリ７８が、左右に振り分けられるので、重量バランスが良好になる。
【００５５】
すなわち、エアクリーナ兼バッテリ収納ボックス８２は、１個の一体ボックスであるが、区画することで、エアクリーナ２３、バッテリ７８及び小電装品８５を収納する箱である。
エアクリーナ２３からは、コネクティングチューブ８７が、車幅方向中央に配置されている１本のアッパーテンションパイプ５６の車幅方向右側に延ばされている。
【００５６】
また、１本のアッパーテンションパイプ５６の後部に、板状の電装品支持部８１が載せられている。この板状の電装品支持部８１にイグニッションコイル７９やＡＣＧ（交流発電機用）カプラ８８やチェンジスイッチカプラ８９やバンクアングルセンサ１０７などが載せられている。
【００５７】
そして、図１３に示すように、メインハーネス９１が電装品収納部８６の下を通って、車体前後方向に延びる。
電装品収納部８６には、バッテリ７８が配置され、このバッテリ７８の後方に小電装品８５が配置されている。
小電装品８５は、例えば、ＥＰＳヒューズ９２、このＥＰＳヒューズ９２より車両後方に配置されるメインヒューズボックス９３、このメインヒューズボックス９３の車幅方向右に配置されるスタータマグネットスイッチ９４、メインヒューズボックス９３の車両後方に配置される燃料ポンプリレー９５からなる。
【００５８】
エアクリーナ兼バッテリ収納ボックス８２のエアクリーナ収納部８４の前部に吸気口１０５が設けられ、この吸気口１０５の下にレギュレータ１０６が配置され、このレギュレータ１０６の放熱フィン１０６ａは上下方向に延びる形態で設けられている。吸気の流れ方向に放熱フィン１０６ａの長手方向が合致しているため、吸気抵抗を低減することができ、放熱効率を向上させることができる。
また、エアクリーナ兼バッテリ収納ボックス８２は、バッテリ８２の下と、後端部８２ａとで、アッパーテンションパイプ５６に締結固定されている。
さらに、バッテリ７８の＋端子９８とＥＰＳヒューズ９２とスタータマグネットスイッチ９４とはハーネス９１ｂで繋がれており、バッテリ７８の−端子９９に車両長手方向に延びるハーネス９１ｃが接続される。
【００５９】
次に、エアクリーナ兼バッテリ収納ボックス８２の形態を、左側面図と右側面図を用いて説明する。
図１４に示すように、アッパーテンションパイプ５６に、板状の補器類支持部７７が載せられ、この補器類支持部７７にエアクリーナ兼バッテリ収納ボックス８２が載せられている。
このエアクリーナ兼バッテリ収納ボックス８２にエアクリーナ２３と共にバッテリ７８が収納されているが、バッテリ７８は、ヘッドパイプ９６より車両後方で、シート１７より前方で、動力発生機関２２のシリンダ９７より前方で、エアクリーナ２３の車幅方向左側方（図では手前）に配置されている。
【００６０】
バッテリ７８の＋端子９８と−端子９９は、エアクリーナ兼バッテリ収納ボックス８２の上部、すなわち、リッド１０１の近傍に配置されている。
また、エアクリーナ兼バッテリ収納ボックス８２に、小電装品８５が配置されている。
すなわち、小電装品８５は、ＥＰＳヒューズ９２、このＥＰＳヒューズ９２より車両後方に配置されるメインヒューズボックス９３、このメインヒューズボックス９３の下に配置されるスタータマグネットスイッチ９４、メインヒューズボックス９３の車両後方に配置される燃料ポンプリレー９５からなる。
【００６１】
リッド１０１の下端と、その下の補器類支持部７７との中間付近が、浸水上限ライン１０２に設定されている。なお、この浸水上限ライン１０２は、吸気口（図１５、符号１０５）の下端に設定される。
浸水上限ライン１０２より上に、バッテリ７８の＋端子９８と−端子９９や、小電装品８５の大部分が配置されるため、防水性を高めることができ、バッテリ７８を含む電装品を非防水タイプのもので構成することができる。
また、補器類支持部７７から下へホースステー１０３が延ばされ、このホースステー１０３でラジエータホース１０４が支持される。また、エアクリーナ兼バッテリ収納ボックス８２にＥＣＵ１１７（図６も参照）が配置される。
【００６２】
従来の多くの車両では、バッテリがシート１７の下等に配置されており、特にセンサ等の電装品が集中しやすいエンジン廻りとバッテリとの距離が離れてしまうため、ハーネスが長いという課題があった。
この点、この実施例では、バッテリ７８が動力発生機関２２の近傍に配置されるため、ハーネスを短くすることができる。さらに動力発生機関２２の近傍に小電装品８５も配置できるので、小電装品８５も含めてハーネスを短くすることができる。
【００６３】
また、従来の多くの車両では、バッテリを収納するバッテリ収納ケースを別途専用に設ける必要があるという課題があった。
この点、本実施例では、エアクリーナ２３を収納するケース（エアクリーナ兼バッテリ収納ボックス８２）にバッテリ７８をも収納したので、バッテリ収納ケースを省くことができる。
また、動力発生機関２２のシリンダより前方に、バッテリ７８及エアクリーナ２３を配置したので、動力発生機関２２の熱の影響を受けにくくすることができる上、後輪が巻き上げる泥などがエアクリーナ２３に入りにくくなり、好ましい。
【００６４】
さらには、図１２から明らかなように、車体中心の一方にエアクリーナ２３が配置され、他方にバッテリ７８が配置されているため、左右の重量バランスが取りやすくなる。
【００６５】
エアクリーナ兼バッテリ収納ボックス８２は、図１５に示すように、車両前側（図１５では右側）に、吸気口１０５を備えている。この吸気口１０５の下方にレギュレータ１０６が配置されている。吸気が直接的にレギュレータ１０６に当たって、冷却する効果を発揮する。
また、吸気口１０５がエアクリーナ兼バッテリ収納ボックス８２の前方に設けられているため、後輪１３が巻き上げる泥が、ますます入りにくくなり、好ましい。
レギュレータ１０６はエアクリーナ兼バッテリ収納ボックス８２の前壁面に設けられたボスに、締結固定される。
【００６６】
次に、小電装品８５の配置について補足説明する。
図１６に示すように、アッパ−テンションパイプ５６に電装品支持部８１が載せられ、この板状の電装品支持部８１にイグニッションコイル７９やＡＣＧカプラ８８やチェンジスイッチカプラ８９やバンクアングルセンサ１０７などが載せられている。
【００６７】
なお、板状の電装品支持部８１の後部は、燃料タンク７４のステー１０８に支持される。燃料タンク７４から延びる燃料ホース１０９は、電装品支持部８１の左縁に設けられたガイド部に支持されて、車両前方へ延びている。
電装品支持部８１で燃料ホース１０９が支持されるが、この支持部位がアッパ−テンションパイプ５６に対して車幅方向左であれば、車幅方向右にメインハーネス９１が配置される。燃料ホース１０９とメインハーネス９１が、アッパ−テンションパイプ５６に対して左右にバランス良く配置される。
【００６８】
また、リヤパイプ６７Ｌ、６７Ｒの前端にシートキャッチャ１１１Ｌ、１１１Ｒが設けられ、右のシートキャッチャ１１１Ｒにメインハーネス９１がクリップ１１２により支持される。さらに、メインハーネス９１は、イグニッションコイル７９の近傍位置にて、電装品支持部８１にステー１１３を介して支持されている。このステー１１３はメインハーネス９１が右のリヤパイプ６７Ｒに向くように、車体長手軸に対して反時計方向に回転させ斜めに設けられている。結果、太いメインハーネス９１を円滑に車幅方向に変位させることができる。
【００６９】
また、電装品支持部８１の車両後方に燃料タンク７４が配置されている。燃料タンク７４から離れた位置でハーネスが配索でき、作業性が高まる。
また、電装品支持部８１の後部は、第２クロス部５５とアッパーテンションパイプ５６の後部との結合部を覆うように、第２クロス部５５に沿うように車幅方向に広がっている。この広がった部位に、本例では、ＡＧＣカプラ８８の後面から延びるハーネスやチェンジスイッチカプラ８９の後面から延びるハーネスが載る。第２クロス部５５とアッパーテンションパイプ５６の後部との結合部は、溶接することにより、バリや突起が発生しやすい。しかし、結合部を電装品支持部８１の後部でカバーすれば、バリや突起でハーネスや電装品などが傷む心配がない。
【００７０】
また、板状の電装品支持部８１をリヤパイプ６７Ｌより、車両前方へ延ばし、メインハーネス９１を、リヤパイプ６７Ｒの前端と電装品支持部８１の前端とで支持させるようにした。仮に、メインハーネスをクランク状に屈曲させながら車幅中央から車幅外側へ配索しようとすると、ハーネス長が長くなるばかりか、メインハーネスは比較的太いハーネスなので屈曲させにくく、組立性も悪いという課題がある。この点、本実施例は、上記構成により、メインハーネス９１を強固に支持しながら、前記課題を解決することができる。
【００７１】
また、電装品支持部８１の前部左部に、車体カバーを取付けるカバーステー部１１４が設けられている。
すなわち、電装品支持部８１は、車体カバーを支持する役割をも果たす。
【００７２】
また、コネクティングチューブ８７は、エアクリーナ兼バッテリ収納ボックス８２から車両後方へ延びるが、先ず、湾曲下降部１１６で車幅方向右へ湾曲しながら下がり、次に、車体中心側に配置されているスロットルボディ１１５の側方を通るようにして車両後方へ延び、続いて、略９０°のターン部１１６で車体中心側に折り返され、先端がアッパーテンションパイプ５６の下に差し込まれる。
ターン部１１６は、大径とされ、流路抵抗を低減するようにした。
すなわち、コネクティングチューブ８７は、平面視で略Ｊ字を呈するようして、スロットルボディ１１５を囲うように巻いている。
【００７３】
すなわち、図１５に示すように、コネクティングチューブ８７は、湾曲下降部１１６で下がり、先端がアッパーテンションパイプ５６の下に差し込まれる。
また、図６に示すように、電装品支持部８１は、アッパーテンションパイプ５６の上端（上面）で支持されると共に、このアッパーテンションパイプ５６の上端より低い位置に段部を形成し、この段部にイグニッションコイル７９等の電装品を収納するようにした。
【００７４】
そして、図１６に示すように、アッパーテンションパイプ５６に対して、一方（この例では車幅方向右側）にコネクティングチューブ８７及びスロットルボディ１１５を配置し、他方（この例では車幅方向左側）に電装品支持部８１を配置したので、スペースの有効活用が図れると共にスロットルボディ１１５が電装品支持部８１に妨げられないので、スロットルボディ１１５の保守性を高めることができる。
さらに、排気管２４は、板状の電装品支持部８１の下に配置される。この電装品支持部８１が遮熱板の役割を果たすため、イグニッションコイル７９やＡＣＧカプラ８８やチェンジスイッチカプラ８９が熱的に保護される。
【００７５】
図１７に示すように、リヤパイプ６７Ｌの前端にシートキャッチャ１１１Ｌが設けられ、シートキャッチャ１１１Ｌでシート１７保持される。
さらに、イグニッションコイル７９やＡＣＧカプラ８８やチェンジスイッチカプラ８９は、アッパーテンションパイプ５６の上面より下位にあるため、シート１７の下向き負荷を受ける心配がない。
【００７６】
さらに、リヤパイプ６７Ｌと重なる位置に、ＡＣＧカプラ８８やチェンジスイッチカプラ８９やバンクアングルセンサ１０７や燃料ホース１０９が配置されているため、これらにシート１７の下向き負荷がかかる心配が、より少なくなる上、これらの電装品の保護効果を高めることができる。さらに、電装品支持部８１をシート下の狭いスペースに効率よく設け、電装品を配置することができる。
【００７７】
また、電装品支持部８１の前部でステー１１３により、メインハーネス９１が支持されている。電装品支持部８１の下方に、スロットルボディ１１５が配置され、このスロットルボディ１１５の下方に排気管２４が配置されている。
【００７８】
尚、本発明の車体フレーム構造は、小型車両、特に不整地走行車両に好適であるが、一般の車両に適用することは差し支えない。
【産業上の利用可能性】
【００７９】
本発明の車体フレーム構造は、不整地走行車両に好適である。
【符号の説明】
【００８０】
１０…車両、１１…車輪（前輪）、２１…車体フレーム、２２…動力発生機関、２３…エアクリーナ、２８…動力伝達装置、４０…前輪懸架装置、４７…パワーステアリングユニット、５１Ｌ、５１Ｒ…メインフレーム、５２Ｌ、５２Ｒ…前輪懸架支持部、５３…第１クロス部、５４Ｌ、５４Ｒ…メインフレーム後部の湾曲部、５５…第２クロス部、５７Ｌ、５７Ｒ…フロントパイプ部、５８Ｌ、５８Ｒ…フロントテンションブラケット部、５９…Ｕ字パイプ、６１…フロントクッション取付部、６３…ステアリングシャフト、６４…前側ステアリングシャフト軸受け部、６５…後側ステアリングシャフト軸受け部、７１…前側屈曲部、７２…後側屈曲部、７３…リヤクッション、７５…リヤクッション軸、７６…リヤクッション取付部、７７…補器類支持部、７８…バッテリ、７９…イグニッションコイル、８１…電装品支持部、８２…エアクリーナ兼バッテリ収納ボックス。
【図１】
0005470107.tif 000002
【図２】
0005470107.tif 000003
【図３】
0005470107.tif 000004
【図４】
0005470107.tif 000005
【図５】
0005470107.tif 000006
【図６】
0005470107.tif 000007
【図７】
0005470107.tif 000008
【図８】
0005470107.tif 000009
【図９】
0005470107.tif 000010
【図１０】
0005470107.tif 000011
【図１１】
0005470107.tif 000012
【図１２】
0005470107.tif 000013
【図１３】
0005470107.tif 000014
【図１４】
0005470107.tif 000015
【図１５】
0005470107.tif 000016
【図１６】
0005470107.tif 000017
【図１７】
0005470107.tif 000018
【図１８】
0005470107.tif 000019